(57)【要約】本開示はクレジットカード、デビットカード又は他の追跡可能なアカウントのユーザにつき、購入及び報酬を追跡する。ユーザが、アイテム（例えば小売店のアイテム）を購入する用意があるとき、店舗端末は当該ユーザのクレジットカード、デビットカード及び他のアカウントに関する情報についてシステムに問い合わせる。店舗における情報はアイテムのカテゴリ及び価格を明らかにする。次いでシステムは、アイテムの決済に用いられるカード又は他のアカウントに応じて、ユーザに対する潜在的な報酬を算出する。次いで店舗におけるユーザ又は店員は、カード又は他のアカウント（クレジットカード、又は、店舗若しくはアイテムの売主についてのユーザアカウント）を選択して、アイテムに対する決済を行う。オンライン購入、価格情報の取得、及び報酬の確認の際、類似の方法が使用可能である。
2018511101.tif 000002
【特許請求の範囲】
【請求項１】
商品又は役務を検出する要求をユーザから少なくとも１台のコンピュータで受信するステップと、
前記要求に応じて、前記少なくとも１台のコンピュータで、前記商品又は前記役務についての検索を実行するステップと、
前記商品又は前記役務についての前記検索の結果を格納するステップと、
前記商品又は役務を購入することに対する報酬の検索についての要求を前記少なくとも１台のコンピュータで受信するステップであって、前記報酬は、前記商品又は前記役務の売主、クレジットカード会社、及びデビットカード会社の少なくとも１つによって提供される、ステップと、
前記報酬についての前記検索の結果を前記ユーザに提示するステップと、
を有する方法。
【請求項２】
請求項１に記載の方法において、
前記要求は前記売主のＰＯＳ端末で生成される、方法。
【請求項３】
請求項１に記載の方法において、
前記商品又は前記役務に対する追加の報酬につき、前記ユーザが前記売主又は第三者サービスのアカウントを有することを前記ユーザのモバイルデバイスを介して前記ユーザへ通知するステップを更に含む、方法。
【請求項４】
請求項１に記載の方法において、
前記商品又は前記役務についての前記検索の結果を受信するステップと、
前記売主のＰＯＳ端末を介して決済を実行するステップと、
を有する方法。
【請求項５】
請求項１に記載の方法において、
前記商品又は前記役務に対する決済を、前記商品又は前記役務の前記売主のＰＯＳ端末を介して受け付けるステップを更に含み、前記決済は、前記売主のカードスワイプデバイス、前記売主の近距離無線通信（ＮＦＣ）リーダ、前記ユーザの無線ＲＦＩＤフォブから通信を受信する受信機、及び、前記ユーザの無線決済デバイス又はモバイルデバイスから無線決済通信を受信するデバイスを含む群から選択されるデバイスを用いて実行される、方法。
【請求項６】
請求項１に記載の方法において、
クレジットカード又はデビットカードの情報を受信することによって前記少なくとも１台のコンピュータを介して決済を受け付けるステップを更に含む方法。
【請求項７】
請求項１に記載の方法において、
前記検索の結果は第三者のマーケティング会社を通して提供される報酬を含む、方法。
【請求項８】
請求項１に記載の方法において、
報酬に対する前記検索の結果を前記少なくとも１台のコンピュータで報酬タイプによって項目分けするステップを更に含み、前記検索の結果は複数のタイプの報酬を含み、当該複数のタイプの少なくとも２つは、マイル報酬、ポイント報酬、キャッシュバック報酬、保証タイプの報酬、旅行タイプの報酬、前記売主からの将来の購入に対する割引、及び保険タイプの報酬を含む群から選択される、方法。
【請求項９】
請求項１に記載の方法において、
前記商品又は前記役務についての前記検索は、前記商品又は前記役務の複数の売主の複数のウェブサイトにアクセス可能な前記少なくとも１台のコンピュータを介して実行される、方法。
【請求項１０】
請求項１に記載の方法において、
報酬の少なくとも１つのカテゴリにおける最善の報酬によって、報酬に対する前記検索の結果を順位付けするステップを更に含む、方法。
【請求項１１】
商品又は役務を検出する要求を少なくとも１台のコンピュータで受信するステップと、
前記要求に応じて、前記少なくとも１台のコンピュータで、前記商品又は前記役務と前記商品又は前記役務の価格とについての検索を実行するステップと、
前記検索の結果を格納するステップと、
前記商品又は役務を購入することに対する報酬の検索についての要求を前記少なくとも１台のコンピュータで受信するステップであって、前記報酬は、前記商品又は前記役務の売主、クレジットカード会社、及びデビットカード会社の少なくとも１つによって提供される、ステップと、
報酬についての前記検索の結果を提示するステップと、
を有する方法。
【請求項１２】
請求項１１に記載の方法において、
前記商品又は前記役務の最安値にしたがって、前記商品又は前記役務についての前記検索の結果を順位付けするステップを更に含む、方法。
【請求項１３】
請求項１１に記載の方法において、
一の報酬カテゴリにおける最大の報酬によって、報酬に対する前記検索の結果を順位付けするステップを更に含む、方法。
【請求項１４】
請求項１１に記載の方法において、
マイル報酬、ポイント報酬、旅行タイプ報酬及びキャッシュバック報酬を含む群から選択される一の報酬カテゴリにおける最大の報酬によって、報酬に対する前記検索の結果を順位付けするステップを更に含む、方法。
【請求項１５】
請求項１１に記載の方法において、
２以上のタイプの報酬の組合せによって、報酬に対する前記検索の結果を順位付けするステップを更に含む、方法。
【請求項１６】
請求項１１に記載の方法において、
ユーザが売主の店舗に入るときに、当該ユーザが当該売主から報酬を受ける資格を有することを前記ユーザのモバイルデバイスを介して前記ユーザに通知するステップを更に含む、方法。
【請求項１７】
請求項１１に記載の方法において、
前記報酬に対する前記検索は、売主、金融機関及びクレジットカード会社のウェブサイトに対する複数の検索を含む、方法・
【請求項１８】
請求項１１に記載の方法において、
前記少なくとも１台のコンピュータはユーザのモバイルデバイスを含み、
前記方法は更に、前記結果を前記ユーザの前記モバイルデバイスに提示するステップを更に含む、方法。
【請求項１９】
請求項１１に記載の方法において、
前記少なくとも１台のコンピュータは前記商品又は前記役務の売主のＰＯＳ端末を含む、方法。
【請求項２０】
請求項１１に記載の方法において、
報酬に対する前記検索からの少なくとも１つの結果は、前記クレジットカード又は前記デビットカードでなされる将来の購入に対する割引を含む、方法。
【請求項２１】
商品又は役務を検出する要求をユーザから少なくとも１台のコンピュータで受信するステップと、
前記要求に応じて、前記少なくとも１台のコンピュータで、前記商品又は前記役務についての検索を実行するステップと、
前記商品又は前記役務についての前記検索の結果を格納するステップと、
前記商品又は役務を購入することに対する報酬の検索を前記少なくとも１台のコンピュータで実行するステップであって、前記報酬は、前記商品又は前記役務の売主、及びクレジットカード会社の少なくとも１つによって提供される、ステップと、
前記報酬についての前記検索の結果を前記ユーザに提示するステップと、
を有する方法。
【請求項２２】
請求項２１に記載の方法において、
前記商品又は前記役務を購入するためにユーザによって使用される前記クレジットカードに応じて達成される、報酬レベル又は閾値の少なくとも１つを、前記ユーザに提示するステップを更に含む、方法。
【請求項２３】
請求項２１に記載の方法において、
前記報酬又は前記役務の前記売主における前記ユーザのアカウントと前記ユーザのクレジットカードアカウントとの少なくとも２つにおける報酬レベル又は残高を、前記ユーザに提示するステップを更に含む、方法。
【請求項２４】
請求項２１に記載の方法において、
前記商品又は前記役務の価格についての前記検索の結果の少なくとも１つを前記ユーザに対して順位付けするステップ、又は
前記商品又は前記役務を購入することに対する報酬の前記検索の結果を順位付けするステップ
を更に含む方法。
【請求項２５】
請求項２１に記載の方法において、
前記報酬は、マイル報酬、ポイント報酬、キャッシュバック報酬、保証タイプ報酬、旅行タイプ報酬、前記売主からの将来の購入に対する割引、及び保険タイプ報酬を含む群から選択される、方法。
【請求項２６】
請求項２１に記載の方法において、
前記少なくとも１台のコンピュータを介して第三者サービスに対する要求を受信して、前記商品又は前記役務を購入することについて報酬が利用可能か否かを判定するステップを更に含む、方法。
【請求項２７】
請求項２１に記載の方法において、
報酬に対する前記検索の結果は、コンシェルジュサービス、又は旅行支援サービスへのアクセスを含む、方法。
【請求項２８】
請求項２１に記載の方法において、
前記検索の結果は第三者のマーケティング会社を通して提供される報酬を含む、方法。
【請求項２９】
請求項２１に記載の方法において、
前記商品又は前記役務の前記売主は、前記売主のアカウント又は前記売主のプライベートブランドのクレジットカードを介して前記商品又は前記役務を購入することに対して前記報酬を提供する、方法。
【発明の詳細な説明】
【関連出願の相互参照】
【０００１】
本願は、米国非仮特許出願１４／６１０６３９号（２０１５年１月３０日出願）の優先権を主張するものであり、当該出願の開示全体をここに参照のために取り込む。
【技術分野】
【０００２】
本開示は概して、消費者による比較を伴うショッピング及び分析に関する。
【背景技術】
【０００３】
今日の競争社会では、商品及び役務の売主は、売上を増加させ、市場シェアを発展させ、より高い利益率を獲得する機会を利用したいと考える。このことは、サービス業界、特に金融サービス業界にも妥当する。金融サービス会社の例は、銀行、貯蓄貸付機関、クレジットカード会社、デビットカード会社、金融サービスに特化する旅行サービス会社等を含んだ様々な金融機関を含む。これらの会社の利益を発展させるべく、今日、多種多様な「報酬」が提供される。これらの「報酬」は、商品及び役務の売主により提供される。ここ最近の過去の例は、消費者のロイヤルティーを刺激することを期待したものとして、売主により提供され食料品店での買い物客に提示される「スタンプ」を含む。これらの「スタンプ」は、食料品店又は「ブリック・アンド・モルタル」の販売地での、クーポン又は割引に取って代わられた。航空会社は長らく、「マイレージサービス」又は他のインセンティブを提供し、当該航空会社を再度利用するユーザを確保してきた。
【０００４】
金融サービス業界が所望の商品又は役務へ支払いを行う購入者を支援するにつれて、商品又は役務の売主からではなく金融サービス業界から新しいタイプの報酬が生まれた。そのような報酬には多くの例がある。例えばクレジットカード又はデビットカードはユーザの購入を追跡して、当該カードでなされた全ての購入について「１％のキャッシュバック報酬」を提供する。キャッシュバックは即座には提供されない。しかし、ユーザが望むように使用することができるキャッシュ報酬として、蓄積された報酬がユーザの月次の利用明細に表示される。他の「報酬」又は特典が提供されることがある。これらは、特定の購入カテゴリ（例えば食料品、燃料、旅行、スポーツ、エンターテイメント、レストラン等）で多分に消費したことに対する「ポイント」であり得る。クレジットカード、デビットカード又は他の金融手段のユーザにとって、報酬の提供主が誰（例えば、クレジットカード会社又は当該クレジットカードを発行する銀行）であるかが明確ではないことがある。本開示上の目的で、クレジットカード会社又はデビットカード会社は、カードネットワーク、又は、カードを発行する銀行若しくは金融機関を指すものとする。
【０００５】
他の金融サービス（例えばクレジットカード、デビットカード等）が、マイレージサービス、将来の購入に対する割引、ホテルのポイント、レンタカーを借りるための保険、購入される耐久商品アイテムの保険、購入される耐久商品アイテムの長期保証等が提供されることもある。様々な報酬や報酬プログラムが存在するので、可能性のある報酬を消費者が追跡することは非常に困難である。ましてや、消費者が検討している所定の購入にとってどの報酬が最も望ましいかを評価することは、いうまでもない。本開示は、どのように報酬を追跡及び評価して上記の困難を克服するかを示す。
【発明の概要】
【０００６】
第１の実施形態は、購入に対して利用可能な報酬を追跡する方法である。方法は、ユーザから、少なくとも１台のコンピュータで、商品又は役務を検出する要求を受信するステップと、当該要求に応じて、少なくとも１台のコンピュータで商品又は役務についての検索を実行するステップとを含む。方法は、商品又は役務についての検索の結果を格納するステップと、少なくとも１台のコンピュータで、商品又は役務を購入することに対する報酬の検索要求を受信するステップであって、当該報酬は、商品又は役務の売主、クレジットカード会社及びデビットカード会社の少なくとも１つによって提供される、ステップと、報酬の検索結果をユーザに提示するステップと、を含む。結果は揮発性メモリ又は不揮発性メモリに格納される。
【０００７】
他の実施形態は、購入に対して利用可能な報酬を追跡する方法である。方法は、少なくとも１台のコンピュータで、商品又は役務を検出する要求を受信するステップと、当該要求に応じて、少なくとも１台のコンピュータで、商品又は役務及び商品又は役務の価格に対する検索を実行するステップとを含む。方法はまた、検索結果を格納するステップと、少なくとも１台のコンピュータで、商品又は役務を購入することに対する報酬の検索を実行するステップであって、当該報酬は、商品又は役務の売主、クレジットカード会社及びデビットカード会社の少なくとも１つによって提供される、ステップと、報酬の検索結果を提示するステップとを含む。結果は揮発性メモリ又は不揮発性メモリに格納される。
【０００８】
他の実施形態は、ユーザに対する報酬を追跡する方法である。方法は、ユーザから、少なくとも１台のコンピュータで、商品又は役務を検出する要求を受信するステップと、当該要求に応じて、少なくとも１台のコンピュータで商品又は役務についての検索を実行するステップとを含む。方法はまた、検索結果を格納するステップと、少なくとも１台のコンピュータで、商品又は役務を購入することに対する報酬の検索を実行するステップであって、当該報酬は商品又は役務の売主、及びクレジットカードを介した金融機関の少なくとも１つによって提供されるステップと、報酬の検索結果をユーザに提示するステップとを含む。結果は揮発性メモリ又は不揮発性メモリに格納される。
【０００９】
一態様の方法は、ユーザから、商品又は役務を検出する要求を少なくとも１台のコンピュータで受信するステップと、前記要求に応じて、前記少なくとも１台のコンピュータで、前記商品又は前記役務についての検索を実行するステップと、前記商品又は前記役務についての前記検索の結果を格納するステップと、前記商品又は役務を購入することに対する報酬の検索についての要求を前記少なくとも１台のコンピュータで受信するステップであって、前記報酬は、前記商品又は前記役務の売主、クレジットカード会社、及びデビットカード会社の少なくとも１つによって提供される、ステップと、前記報酬についての前記検索の結果を前記ユーザに提示するステップと、を有してよい。要求は売主のＰＯＳ端末で生成されてよい。方法は更に、前記商品又は前記役務に対する追加の報酬について前記ユーザが前記売主又は第三者サービスのアカウントを有することを、前記ユーザのモバイルデバイスを介して前記ユーザへ通知するステップを更に含んでよい。方法は更に、前記商品又は前記役務についての前記検索の結果を受信するステップと、前記売主のＰＯＳ端末を介して決済を実行するステップと、を有してよい。方法は更に、前記商品又は前記役務に対する決済を、前記商品又は前記役務の前記売主のＰＯＳ端末を介して受け付けるステップを更に含んでよく、前記決済は、前記売主のカードスワイプデバイス、前記売主の近距離無線通信（ＮＦＣ）リーダ、前記ユーザの無線ＲＦＩＤフォブから通信を受信する受信機、及び、前記ユーザの無線決済デバイス又はモバイルデバイスから無線決済通信を受信するデバイスを含む群から選択されるデバイスを用いて実行される。方法は更に、クレジットカード又はデビットカードの情報を受信することによって前記少なくとも１台のコンピュータを介して決済を受け付けるステップを更に含んでよい。前記検索の結果は第三者のマーケティング会社を通して提供される報酬を含んでよい。方法は更に、報酬に対する前記検索の結果を前記少なくとも１台のコンピュータで報酬タイプによって項目分けするステップを更に含んでよく、前記検索の結果は複数のタイプの報酬を含み、当該複数のタイプの少なくとも２つは、マイル報酬、ポイント報酬、キャッシュバック報酬、保証タイプ報酬、旅行タイプ報酬、前記売主からの将来の購入に対する割引、及び保険タイプの報酬を含む群から選択される。前記商品又は前記役務についての前記検索は、前記商品又は前記役務の複数の売主の複数のウェブサイトにアクセス可能な前記少なくとも１台のコンピュータを介して実行されてよい。方法は更に、報酬の少なくとも１つのカテゴリにおける最大の報酬によって、報酬に対する前記検索の結果を順位付けするステップを含んでよい。結果は揮発性メモリ又は不揮発性メモリに格納される。
【００１０】
一態様における方法は、商品又は役務を検出する要求を少なくとも１台のコンピュータで受信するステップと、前記要求に応じて、前記少なくとも１台のコンピュータで、前記商品又は前記役務についての検索、及び前記商品又は前記役務の価格についての検索を実行するステップと、前記検索の結果を格納するステップと、前記商品又は役務を購入することに対する報酬の検索についての要求を前記少なくとも１台のコンピュータで受信するステップであって、前記報酬は、前記商品又は前記役務の売主、クレジットカード会社、及びデビットカード会社の少なくとも１つによって提供される、ステップと、報酬についての前記検索の結果を提示するステップと、を有してよい。方法は更に、前記商品又は前記役務の最安値にしたがって、前記商品又は前記役務の前記検索の結果を順位付けするステップを含んでよい。方法は更に、一の報酬カテゴリにおける最大の報酬によって、報酬に対する前記検索の結果を順位付けするステップを含んでよい。方法は更に、マイル報酬、ポイント報酬、旅行タイプ報酬及びキャッシュバック報酬を含む群から選択される報酬カテゴリにおける最大の報酬によって、報酬に対する前記検索の結果を順位付けするステップを更に含んでよい。方法は更に、２以上のタイプの報酬の組合せによって、報酬に対する前記検索の結果を順位付けするステップを更に含んでよい。方法は更に、ユーザが売主の店舗に入るときに、当該ユーザが当該売主から報酬を受ける資格を有することを前記ユーザのモバイルデバイスを介して前記ユーザに通知するステップを更に含んでよい。報酬の検索は、売主、金融機関及びクレジットカードウェブサイトの複数の検索を含んでよい。少なくとも１台のコンピュータは、ユーザのモバイルデバイスを含んでよく、更に、ユーザのモバイルデバイスへ結果を提示するステップを含んでよい。少なくとも１台のコンピュータは、商品又は役務の売主のＰＯＳ端末を含んでよい。報酬についての少なくとも１つの検索結果は、クレジットカード又はデビットカードでなされる将来の購入に対する割引を含んでよい。結果は揮発性メモリ又は不揮発性メモリに格納される。
【００１１】
一態様における方法は、ユーザから、商品又は役務を検出する要求を少なくとも１台のコンピュータで受信するステップと、前記要求に応じて、前記少なくとも１台のコンピュータで、前記商品又は前記役務についての検索を実行するステップと、前記商品又は前記役務についての前記検索の結果を格納するステップと、前記商品又は役務を購入することに対する報酬の検索を前記少なくとも１台のコンピュータで実行するステップであって、前記報酬は、前記商品又は前記役務の売主、及びクレジットカード会社の少なくとも１つによって提供される、ステップと、報酬についての前記検索の結果を前記ユーザに提示するステップと、を有してよい。方法は更に、前記商品又は前記役務を購入するためにユーザによって使用される前記クレジットカードに応じて達成される、少なくとも１つの報酬レベル又は閾値を、前記ユーザに提示するステップを更に含んでよい。方法は更に、前記報酬又は前記役務の前記売主における前記ユーザのアカウントと前記ユーザのクレジットカードアカウントとの少なくとも２つにおける報酬レベル又は残高を、前記ユーザに提示するステップを更に含んでよい。方法は更に、前記商品又は前記役務の価格についての前記検索の結果の少なくとも１つを前記ユーザに対して順位付けするステップ、又は、前記商品又は全役務を購入することに対する報酬についての前記検索の結果を順位付けするステップを更に含んでよい。報酬は、マイル報酬、ポイント報酬、キャッシュバック報酬、保証タイプ報酬、旅行タイプ報酬、前記売主からの将来の購入に対する割引、及び保険タイプ報酬を含む群から選択されてよい。方法は更に、前記少なくとも１台のコンピュータを介して第三者サービスに対する要求を受信して、前記商品又は前記役務を購入することについて報酬が利用可能か否かを判定するステップを含んでよい。報酬に対する前記検索の結果は、コンシェルジュサービス、又は旅行支援サービスへのアクセスを含んでよい。前記検索の結果は第三者のマーケティング会社を通して提供される報酬を含んでよい。前記商品又は前記役務の前記売主は、前記売主のアカウント又は前記売主のプライベートレーベルのクレジットカードを介して前記商品又は前記役務を購入することに対して前記報酬を提供してよい。結果は揮発性メモリ又は不揮発性メモリに格納される。
【００１２】
本開示は多くの実施形態を含み、いずれの実施形態についても非限定的に記載することを意図するものである。
【図面の簡単な説明】
【００１３】
【図１】報酬を提供し付与することに関わる、当事者間での動作及び通信に有用なシステムを示す図である。
【図２】商品又は役務の所定の購入に対して提供される割引及び報酬を追跡又は評価するのに有用な表を示す図である。
【図３】ユーザに提示されるカード又はアカウントと、現在までに蓄積された報酬とを示す図である。
【図４】ユーザのアカウント又はカードの各々を利用して購入がなされたときの、ユーザアカウントの報酬残高を示す図である。
【図５】ユーザのアカウント又はカードの各々を利用して意図した購入がなされたときのユーザアカウントの次の閾値を示す図である。
【図６】ユーザのカード又はアカウント間での割引及び報酬の第１の比較を示す図である。
【図７】ユーザに対する割引及び報酬についての第２の比較を示す図である。
【図８】本開示を実施する方法のフローチャートである。
【図９】本開示を実施する方法のフローチャートである。
【図１０】本開示を実施する方法のフローチャートである。
【発明を実施するための形態】
【００１４】
本開示は、ユーザが参加する複数のプログラムから可能な最善の報酬、オファー、他のインセンティブや、利用可能な価格又はインセンティブを得ることを支援するシステム及び方法に関する。報酬、オファー、又は他のインセンティブを最大化するために、ユーザはまず、報酬、オファー又は他のインセンティブを追跡して、どの報酬、オファー又は他のインセンティブが獲得されたか、及び、どの報酬、オファー又は他のインセンティブが意図した各購入から可能であるか、を追跡しければならない。報酬、オファー又はインセンティブ（例えば、発生したマイル、キャッシュバック、割引等）は異なる呼び方をされるので、利用可能な報酬、オファー又はインセンティブを追跡してそれらのうち最も好ましいものを判定することは困難である。最も好ましい報酬、オファー又はインセンティブに基づいて、意図した取引で用いる金融手段の選択を支援するシステムを図１に示す。図１は、報酬、オファー又は他のインセンティブを追跡するシステム１００を示す。
【００１５】
報酬、オファー又は他のインセンティブは、ウェブ上の第三者設備１０１を用いて追跡される。設備１０１は、ユーザの報酬についての情報を追跡し格納するデータベース１０２を有してよい。データベースはまた、設備のクライアント（例えば、第三者のマーケティングサービスを使用することを希望する売主又はその他の者）についての情報を含んでよい。設備はまた、アプリケーション上のものであってよい。すなわち、ユーザのコンピュータ又はモバイルデバイス上にアプリケーションを有して、獲得された又は潜在的な報酬を追跡しユーザ又はカード会員に提示することを支援することは有用である。設備は、各消費者のプログラム及び報酬についての情報をデータベース１０２に格納してよい。設備は、可能性のある様々な購入において、ユーザの報酬プログラムの各々によって何が提供されるかについての情報を格納してよい。実施形態においてユーザは、世界的な決済設備又はデジタルスマートカード（例えばPlastc、Coin、ApplePay、MasterPass）によって報酬プログラム、クレジットカード及び金融手段を統合してよい。この情報は、データベース１０２を介してアクセスされて、又は、ＡＰＩを介してアクセスされて、エクスポートされた基本情報を受信等してよい。エクスポートされた基本情報は、完全なカード情報、利用可能な報酬、オファー又はインセンティブのカテゴリ、ユニークな識別子等である。
【００１６】
例えば、ユーザの１つのプログラム、クレジットカード又は他の決済方法は、報酬、オファー又はインセンティブを提供してよい。これらは提供される商品又は役務のカテゴリに応じて変化する。例えば、キャッシュバック報酬プログラムは、レストラン又はエンターテイメントサービスに対して３％のキャッシュバックを提供し、食料品に対して２％のキャッシュバックを提供し、燃料の購入に対して１％のキャッシュバックを提供してよい。ユーザの他のプログラム又はクレジットカードは、キャッシュバックを提供しなくてよいが、選択された商品又は役務の購入１ドル又は０．１ドルあたり１ポイントの割合でポイントを付与してよい。他のプログラムは、様々な購入に対し特別なインセンティブを提供してよい。一実施形態では、クレジットカード会社は、売主と合意して、そのクレジットカードで購入されたアイテムに対し長期保証を提供してよい。他の実施形態では、クレジットカード会社は、レンタカー会社と合意して、車の借主用の保険をかけてもよい。これにより借主は、車を借りて特定のクレジットカードで決済をするときに、追加の保険料の支払いを避けることができる。報酬、オファー又はインセンティブにつき、他の多くの例が可能である。
【００１７】
ユーザのデバイス１０４は、ユーザのラップトップ又はデスクトップコンピューティングデバイス、ユーザのタブレットコンピューティングデバイス、モバイルコンピューティングデバイス（例えば無線電話、個人情報端末又は類似のもの）を含んでよい。ユーザデバイスは、ウェブ上のアプリケーションでインターネット１０３を介して第三者設備に接続してよい。代わりに、第三者設備は、ユーザが当該ユーザのデバイス又はモバイルデバイス上にダウンロードするためのアプリケーションを提供してよい。更新情報及びユーザの電話上のアプリケーション（「アプリ」）によって、意図する又は可能性のある各購入について第三者設備に連絡する必要はなくてよい。本開示で記載されるように、アプリは即座に計算を実行し、購入に対する決済方法の最適な選択へとユーザを案内する。意図する購入又は役務にいずれのカード又はアカウントを用いるかについて正確な回答を生成するために、ユーザの携帯電話上のアプリケーションは、最新の情報と様々な報酬プログラムについての状態とを用いて周期的に更新されてよい。
【００１８】
実施形態では、システムで用いられるアプリケーションは、ＡＰＩ等を介して直接に、MasterCard Rewardsのような報酬又はポイント銀行システムに統合されてよい。当該アプリケーションはまた、個人向けのオファーシステムと直接に統合されてよい。実施形態では、システムの用途及び態様は、例えばブラウザのプラグイン又は小売業者との直接インテグレーションを用いて、オンライン店舗へと統合されてよい。小売業者との統合は、決済ページでのJavascript又はＡＰＩによるインテグレーションであってよい。実施形態では、システムの用途及び態様は、例えばＰＯＳ端末インテグレーション、カード認証フロー、アクワイアラの決済ゲートウェイ、又はＡＰＩを介する店舗内モバイル決済アプリケーションを用いて、物理店舗で統合してよい。
【００１９】
他の実施形態では、ユーザは他の手段（例えば標準セルラ通信又は他の無線周波数アプリケーションで用いられるもの）で第三者設備に直接接続してよい。通信は、売主又は販売者のネットワークを用いてインターネットを介して第三者設備１０１へと接続することによって、売主の店舗又は小売店における、売主のホットスポットを介して行われてよい。
【００２０】
更に、売主及び売主ウェブサイト１０５、並びに、金融機関１０６（例えば銀行及び貯蓄貸付機関等）が、第三者設備に接続してよい。売主及び売主ウェブサイトはまた、物理的なカードが用いられるか否かにかかわらず、利用可能な報酬プログラム又はインセンティブプログラムを有してよい。したがって全国的なデパートは、カードを発行すること無く、消費者へ、当該消費者名義で無保証のクレジットアカウントを提供することができる。これらの場合、ユーザが購入をするとき、店員は電話番号又は他の識別子を要求し、ユーザが会員であることを確かめる。電話番号又は識別子の確認が完了すると、ユーザは、カードを用いることなく、会員に与えられる全ての利益、報酬又はインセンティブ等に対する資格を付与される。当該売主におけるユーザアカウントはこれで十分である。
【００２１】
クレジットカード会社及びデビットカード会社、又は他の代替的な決済支援システム及び方法１０７（例えばPaypal、Bitcoin等）は、所望の方法で設備１０１と通信する。これにより、オファー及びインセンティブを絶えず更新し、それらにつき、設備の全ての部分を最新の状態に維持することができる。このように、小売店又はオンラインポータルでユーザが自身の報酬、オファー又は他のインセンティブ並びに潜在的な報酬を追跡することを望むとき、システムは、ユーザが獲得した報酬、オファー又は他のインセンティブの記録や、意図した購入が完了したときの報酬、オファー又はインセンティブが何であるかを、即座に提供することができる。個人的な売主や、そのウェブサイト又は代理人にとって、設備と連絡を取り合うことは効果的である。これは、プログラム及びデータや、第三者設備にて報酬プログラムに契約し又は参加する会員のアカウント残高を継続的に更新することで行われる。
【００２２】
ユーザが購入を希望するとき、ユーザはオンラインであってよいし、物理的な小売店にいてもよい。本開示の趣旨は、いずれの実施形態においても同一である。ユーザのプログラムについての情報は、収集されてデータベース１０２に格納される。当該情報は、ユーザが購入を希望するときに利用可能である。一実施形態では、ユーザは小売店にて、購入用アイテムを店員に提示する。ユーザは、店舗アカウント番号、店舗アカウントで用いられる電話番号、又は他の方法を用いて（例えばデビットカード又はクレジットカードをスワイプし、代替的な決済支援情報を入力し、又は、ＥＭＶカード、ＲＦＩＤチップ若しくはフォブ等をスキャンすることによって）、自身を認証する。これによりユーザは認証され、ユーザの報酬、オファー又は他のインセンティブが確認される。次いで店員は、商品のバーコード又は他の標識をスキャンする。小売店のコンピュータシステムは次いで、アイテム価格を検索し、小売店の販売時点（ＰＯＳ）端末上で当該価格をユーザに表示する。価格が判明すると、システムはユーザの報酬、オファー又は他のインセンティブを検索し、ユーザの報酬、オファー又は他のインセンティブのプログラムから、どの報酬、オファー又は他のインセンティブをユーザに適用可能かを確認する。ユーザがオンラインであり、且つオンライン小売店のアカウントにログインしていれば、ユーザは売主に知られることになるので、ユーザを認証する前述のステップは不要でよい。
【００２３】
店舗のコンピュータシステムがユーザの報酬を検索すると、図２の例に示すように情報が取得される。代替的に検索は、オンライン状態で、ユーザのモバイルデバイス（例えばユーザのスマートフォン、タブレットコンピュータ又はユーザの家庭用コンピュータ等）上でアプリケーションを用いて行われてよい。図２の例に示されるように、報酬カテゴリが一番上の行に示され、ユーザのアカウント又はクレジットカードが左側の列に示される。２行目の行Ａは、全国的な小売店、レストラン、航空会社、又は他の売主、供給者若しくは売主における、ユーザのアカウントを示す。この例では、店舗のコンピュータはユーザが購入を希望するアイテムの価格を検索して返す。当該価格は９９．９９ドルである。システムはまた、カード又はアカウントＡが用いられる場合、可能な報酬は、０（ゼロ）マイル、９９９９ポイント、及びキャッシュバック１．５０ドルである。ここで、最も起こりうることであるが、カード又はアカウントＡは、割引もマイル報酬も提供しない一方、ポイント報酬及びキャッシュバック報酬は提供する。この例のアカウントＡにおける報酬の価値は、１．５０ドルと９９９９ポイントである。この例では、ユーザはポイント報酬とキャッシュバック報酬との両方（そのどちらかではない）を獲得できる。
【００２４】
図２の説明を続けるに、ユーザの第２のカードは、アカウント又はカードＢに対応するものである。このアカウント又はカードで、ユーザはマイル報酬もキャッシュバック報酬も受けることはできない。しかしユーザは、４．００ドルの割引と９５９９報酬ポイントを受ける。ここでユーザはまた、２つの報酬、すなわち、購入価格の即座の割引と９５９９報酬ポイントとを受けることができる。したがって報酬の価値は、４．００ドルと９５９９報酬ポイントである。この単純な例の説明を続けると、アカウント又はカードＡから可能な報酬は、アカウント又はカードＢから可能な報酬よりも良いか良くないかのどちらかである。カードＡでは、価値は１．５０ドルに９９９９ポイントを加えたものである。カードＢでは、価値は４．００ドルと９５９９ポイントである。
【００２５】
カード又はアカウントの各々が特定の報酬だけを提供すること、すなわち、必ずしも全ての報酬を提供するわけではないことに留意されたい。図２乃至図４の例では、カード又はアカウントＡは、ポイント報酬又はキャッシュバック報酬だけを提供する。カード又はアカウントＢは、割引とポイントを提供するが、マイル又はキャッシュバックを提供しない。カード又はアカウントＣはマイルだけを提供し、割引、ポイント及びキャッシュバックを提供しない。この例では、カード又はアカウントＤは相当の割引、ポイント及びキャッシュバックを提供する。
【００２６】
アカウント又はカードＣについて第４行目を参照すると、購入価格の割引はなく、ポイント報酬及びキャッシュバック報酬は提供されない。カード又はアカウントＣを用いるユーザにとって利用可能な報酬は、４５００マイル報酬だけであり、他の報酬又は割引はない。ユーザはマイル報酬と他の利用可能な報酬とを比較し、どの報酬を好むかを決定することができる。ユーザが、ポイント又はマイルを報酬として提供する航空会社の報酬閾値に到達するまであと少しのマイルを探していない限り、カード又はアカウントＣについての報酬の価値は当該ユーザにとってそれほど高くないかもしれない。
【００２７】
各ユーザのアカウントにおいて、報酬、マイル若しくはポイント、オファー、又は他のインセンティブについてのあと少しの情報をユーザが有していれば、当該ユーザにとって決定は容易である。第１の例は、各ユーザアカウントについて、現在の報酬、利用可能なオファー又は他のインセンティブの残高を示すものである。図２は、ユーザが任意の追加の購入を意図する以前の、ユーザアカウントを示す。図２は、意図する購入についての任意の情報を含まず、ユーザの現在の報酬、オファー又は他のインセンティブの残高についての情報のみを含む。ユーザが購入を検討し、当該購入を行うためにいずれのカード又はアカウントを用いるかについての情報を必要とすると、この状況は変わる。
【００２８】
この種の情報の例を図４に示す。図４は、ユーザの様々なアカウントにおける報酬残高と共に、意図する購入に対する価格割引を示す。図４は、報酬を勘定した上で、購入を行うために各カード又はアカウントが用いられた場合の総計を示す。図４は、カードＡ、Ｂ、Ｃ及びＤで利用可能な任意の割引に関し、関心のあるアイテムに対して利用可能な価格割引を示す。残りの列は、カードＡ、Ｂ、Ｃ又はＤのそれぞれによって購入がなされた場合のユーザの報酬残高を示す。当該購入にカード又はアカウントが使用されたときのみに、ユーザはこれらの報酬残高に達する。したがって、図４に示されるカードの報酬総計は、幾分か数値がつり上がったものである。というのも、意図されているのは１回の購入だけであるため、カード又はアカウントの１つだけがこのレベルに達するからである。他の実施形態では、ユーザは、図３に示すように追加の購入を検討すること無く、自身の現在の報酬残高を視認することを好んで選択してよい。
【００２９】
ユーザにとって有用な他の事項を図５に示す。この例においてユーザは、各特定の報酬、オファー又は他のインセンティブプログラムの次の閾値に達するために、現在どのような状況であるかを視認することを望む。商品価格は図５に示されない。この例では、特定の報酬について資格を有するための次の閾値までユーザがどれだけ近いかを視認させる。もしカード又はアカウントＡが購入で用いられる場合、ユーザは９９９９報酬ポイントを受け取る（図２参照）。これにより、カードＡについての報酬ポイントの合計は１９９９９となり（図４参照）、ユーザは次の閾値まで１０００１ポイント足りないことになる（図５参照）。この場合の閾値は３００００ポイントである。同時にユーザは、１．５０ドルのキャッシュバックの資格を有し（図２参照）、キャッシュバック合計は１５０．７５ドルとなる（図４参照）。これによりユーザは、次のキャッシュバックレベルに必要な１５０．００ドルの閾値を超える（図５参照）。一実施形態では、キャッシュバック報酬は、追加の５０ドルの増分が達成される度に（例えば５０ドル、１００ドル等）、増加する。
【００３０】
算出又は比較は、他のカード又はアカウントに対して行われてよい。カード又はアカウントＢについては、購入価格の４ドルの割引と９５９９報酬ポイントに対する資格である（図２参照）。もしカード又はアカウントＢが用いられる場合、ユーザは２９９８７報酬ポイントを有する（図４参照）。図４によれば、ユーザは報酬ポイントの次の閾値（すなわち、３００００ポイント）まで１３ポイントである。これによりユーザは、３００００報酬ポイントという閾値に到達する目的で、カード又はアカウントＢを使用するよう動機付けられる。
【００３１】
カード又はアカウントＣについては、ユーザはマイル報酬しか受け取れない。この場合ユーザは、購入の際にカードＣを使用して、４５００マイルを獲得する。これによりユーザのマイル報酬は１０９２００に達し（図４参照）、報酬に必要な１０００００マイルをとうとう超える（図５）。カード又はアカウントＤは、価格割引、報酬ポイント及びキャッシュバックを提供する。カードＤを使用すると、ユーザは購入価格の９．００ドルの割引と、９０９９ポイント報酬と、１．７５ドルのキャッシュバック報酬とを受けることができる。９０９９ポイントを受け取ったユーザは、次の報酬に必要な５００００ポイントまであと９４４ポイントだけとなる。カードＤを用いるとユーザは、キャッシュバックをも獲得することができる。ユーザは２００ドルのレベルを超え、次のキャッシュバック増分として２５０ドルに達する必要がある。ユーザは、カード又はアカウントＤの使用に対して提供される報酬が、当該カード又はアカウントＤを使用する動機を与えるのに十分であると感じる。
【００３２】
上記の報酬、オファー又は他のインセンティブ及び特典に加え、他の多くの報酬が可能である。当該報酬は、様々なクレジットカード又はデビットカードにわたって、又は、売主若しくは供給者からの複数のロイヤルティプランにわたって可能な報酬を含む。ホテル報酬の例を示す。ユーザは報酬（例えばStarwood（登録商標）ポイント、Hilton HHonors（登録商標）ポイント、Loews（登録商標）ホテル報酬等）を提供する様々なプログラムを選択可能である。一例では、ホテルチェーンは、当該ホテルでの一泊につき２５ドル分食事する権利を提供してよい。更に、ユーザが所定の期間宿泊して支払いを行った後に、無料宿泊する権利が提供されてよい。この情報は、ユーザのアプリデータベース及び第三者設備のデータベースに追加されてよい。航空会社又は他の旅行関連サービスで販売促進を行えば、利益及び報酬が蓄積する。本願によりユーザは、アカウントを管理し、獲得報酬を最大化することができる。
【００３３】
第三者のマーケティング会社のサービスを用いることで、報酬、オファー又は他のインセンティブへ注意を払うことはユーザにとって一層容易である。実施形態では、ユーザは無料でプログラムに参加して、ユーザの報酬、オファー又は他のインセンティブプログラムについての情報を入力することができる。第三者のマーケティング担当者は、ユーザの報酬、オファー又は他のインセンティブを追跡する。ユーザは、単にログイン及びチェックを行うことで、自身の報酬、オファー又は他のインセンティブのレベル及び可用性を確認することができる。次いで第三者のマーケティング担当者は、ユーザに対し、ユーザに利益があると当該担当者が感じる任意の販売促進及びキャンペーンを通知することができる。当該通知は、ユーザの消費パターン及び履歴に基づく。または当該担当者はユーザに対し、既に利用可能であり且つ場合によってはユーザによって選択された（又はユーザに提示され関心を持たれた）報酬、オファー又はインセンティブをリマインドすることができる。ユーザに動機を与えるために、第三者のマーケティング担当者自身は、ユーザによる購入に対し、報酬、オファー又は他のインセンティブを提供してよい。例えば、第三者のマーケティング担当者は、好適なクレジットカード会社と取り決めを行ってよい。特定のタイムウィンドウ中に、又は、特定の好適な売主に対してなされた購入に対し、より高価な報酬が提供されてよい。また、その時間帯に特定の好適なカテゴリでなされた購入に対し、より高価な報酬が提供されてよい。代替的に、第三者のマーケティング担当者は、好適な売主（例えば航空会社、ホテルチェーン）と取り決めを行って、購入に対し特定のクレジットカード又はデビットカードが使用された場合の報酬の価値を販売促進中に高めてよい。他の実施形態では、クレジットカード会社によって通常提供されない追加の報酬を提供することで、報酬の価値を高めてよい。一例では、クレジットカード会社がユーザに対し、通常、報酬ポイントを付与する場合、当該クレジットカード会社は、ある時間帯に航空会社が提供する旅行が購入されたときに、報酬ポイントに加えてマイルを提供してよい。
【００３４】
上記の通りユーザは、残高並びに、当該ユーザが会員である様々なアカウント及びカードで可能な、報酬、オファー又は他のインセンティブを閲覧することができる。図３及び図４に図示された報酬算出処理に代えて、上述の第三者設備又はアプリがその算出を実行して一の結果又は一連の結果を提示して、購入を行うためにどのカード又はアカウントを使用すべきかをより良く決定できるようにすれば、一層簡便である。上記の通り、多くの基準が存在する。これは、ユーザにとって、検討すべき可能な報酬、オファー又は他のインセンティブが多く存在するからである。比較を行う第１の試みを図６に示す。図６は、図２の各列の最大値を図示するものである。最大のマイル又はポイント報酬と共に、最大の割引又はキャッシュバックが算出される。このように、図２における視覚的な価格比較表は、カード又はアカウントＤのもとでユーザに付与される割引を用いたときの価格、すなわち、９０．９９ドルが最安値であることを示す。この価格はアカウント又はカードＡ及びＣのもとでの最高値（定価）よりも９．００ドル安い。したがってカード又はアカウントＤを用いれば、９．００ドルの節約がもたらされる。
【００３５】
この例ではカード又はアカウントＣだけが報酬マイルを提供するので、最大のマイル報酬は、カードＣの４５００マイルである。ここでの全てのカード又はアカウントは報酬ポイントを提供する。最大報酬は、カードＡの９９９９報酬ポイントである。最後に、この例では、カードＡ及びＤがキャッシュバックを提供する。カードＤでは１．７５ドルであり、カードＡの１．５０ドルより大きい。したがって、最大のキャッシュバック報酬はカードＤの１．７５ドルである。図６の表は、各報酬カテゴリについての結果全てを示す。他の例では、異なる報酬が提供されてよい。図２に示される報酬表は異なったものでよく、より多くの異なる報酬を提示してよい。図６に示されるような特定の報酬カテゴリについての最善のカード又はアカウントもまた、異なってよい。
【００３６】
図６は、報酬についての第１の比較を示し、所定のカテゴリでの全ての報酬を加味し、いずれの報酬が最大（すなわち、最大の割引、最大のマイル又はポイント等）であるかを確認するものである。比較を行う第２の試みを図７に示す。図７は、最も容易に照合されるカテゴリ（すなわち、割引及びキャッシュバック報酬）を併合するものである。図７の例では、マイル又はポイント報酬を提供するカード又はアカウント、あるいは最善のカード又はアカウントに変更はなく、カードＣ及びカードＡである。カードＤは、最大の価格割引の９．００ドルと、１．７５ドルのキャッシュバックを提供し、その合計は１０．７５ドルである。最大の割引価格及びキャッシュバックについての比較は、他の２つのカード又はアカウントに対しても行う。カードＡは１．５０ドルのキャッシュバックを提供するが割引を提供しない。カードＢは４．００ドルの割引を提供するがキャッシュバックを提供しない。これらは、カードＤによって提供される合計１０．７５ドルよりも小さい。よって、割引とキャッシュバック報酬との和の最大値は、カードＤによるものである。図７に示す通りユーザは、どの報酬が最善と感じるかによって、カードＡ、Ｂ及びＣから選択する。
【００３７】
演算式及びアルゴリズムは、図６又は図７のような表を容易に算出する。式又はアルゴリズムは、ユーザが望むように容易に設計することができる。例えば、カード又はアカウントの１つが使用された場合には、獲得ポイントを最大化するように、獲得ポイントと獲得キャッシュバックとを最大にするように、又は、第三者設備によって提示されるオファーを利用するように、設計することができる。本開示によれば、ユーザが自身のアカウントを管理する１つの方法は、ユーザが最も価値があると考える報酬を選択することである。一実施形態では、ユーザは、全ての決済について、キャッシュバックが最も価値のある報酬であると判定する。このユーザは次いで、アプリ又は第三者サーバに対し、全ての購入についてキャッシュバック報酬を最大化し、どのカード又はアカウントを使用すべきかの選択を支援するよう指示する。
【００３８】
一実施形態では、ユーザは各ベンダ又は売主について異なる最大値を選択することを決定してよいし、各購入カテゴリについて異なる最大値を決定してよい。他の実施形態では、ユーザは全ての購入について特定の種類の報酬ポイント（例えばMasterCard（登録商標）報酬ポイント、Visa（登録商標）MyPoints（登録商標）又はSears（登録商標）報酬ポイント）を最大化することを決定する。ただし、同一カテゴリについて１より多いカード又はアカウントを有していなければ、ユーザが得られる報酬は１つのタイプの報酬ポイントに限定される。他の実施形態においてユーザは、商品の特定のカテゴリに関わる全ての購入について、アプリ又は第三者設備に対し、拡張版の保証特典又は報酬を検討するよう指示してよい。当該カテゴリは例えば、キッチン家電、洗濯家電及び掃除家電である。他の実施形態では、アプリ又は設備は、どのカード又はアカウントをユーザが選択したかに応じて利用可能な無料の保証を互いに比較するよう指示される。他の実施形態では、システムは最大の価値を消費者に提供する保証を比較し選択する。これは、最長の期間を有する保証、最も広範な填補範囲の保証、最速サービスの保証、等であってよい。このシステムは次いで、「最善の」保証を１つだけユーザに提示し、又は、各カード又はアカウントから利用可能な特徴を比較した表を提示してよい。一実施形態では、「最善の」保証は、強調され、ラベル付けされ、太字にされ、又は、ユーザによって簡単に視認できるようにされてよい。
【００３９】
代替的に他の実施形態では、ユーザは車を借りることを考慮するときは常に、保険特典又は報酬を考慮することを希望することがある。したがって、アプリ又は第三者設備は、ユーザが車を借りることを考慮するときは常に、利用可能な無料保険又は非常に低価格の保険を、ユーザの様々なカード又はアカウントから比較するように指示されてよい。あるいはアプリ又は第三者設備は、例えば、ユーザがHertz（登録商標）、Avis（登録商標）、Penske（登録商標）、Budget Rent-a-Car（登録商標）等の名称のベンダでの取引を考慮するときに、そのような比較を指示されてよい。したがって、ユーザがアプリ又は第三者設備に問い合わせ、意図した購入がこれらのベンダの１つに関わるとき、アプリ又は設備は、決定プロセスの少なくとも一部として、保険報酬を自動的に用いてよい。一実施形態では、図２のように可能な報酬を提示する表は、ユーザに対し、「報酬」の１つとしての「保険」と共に提示される。一実施形態では、保険適用範囲の条件（例えば、適用範囲での上限金額、異なるタイプの適用範囲（衝突、人身事故、死亡等）、各タイプの適用範囲に対する控除）等も共に提示される。
【００４０】
他の実施形態では、問題の売主は１以上のクレジットカードネットワーク（例えばVisa（登録商標）、MasterCard（登録商標）、American Express（登録商標）又はDiscover（登録商標））を選ぶように合意してよい。この情報は、店舗において販売時点で利用可能であり、又は、ユーザがオンラインでの購入を考慮するときにはオンラインにて利用可能である。ユーザは店員に働きかけてもよいし、オンラインショッピングカートにて購入対象を選択してよい。ユーザが決済をするとき、店員又はコンピュータはまず価格を確認する。これは例えば、当該価格が正しいか否かを確認することである。このステップは、アイテムを店に保管するときに実行してよいし、決済時に繰り返され又は繰り返されてなくてよい。店員又はシステムによって、オンライン決済のためにアイテムが記録されると、その購入において可能な報酬について検索が実行される。これにより、図２に示すように、報酬、オファー又は他のインセンティブがリスト化される。このとき、アイテム価格の表示の有無は問わない。
【００４１】
実施形態では、オファー、報酬又はインセンティブの価値が調整され、共通の基準となってよい。実施形態では、当該調整は、オファー、報酬、又はインセンティブの提供者によって実行されてよい。又は、システムのホスト又はユーザ自身が所望の調整を実行してよい。例えば全ての利用可能なオファー、報酬又はインセンティブは、通貨、マイレージ、ポイント等の単位に調整されてよい。アルゴリズムを用いて当該調整を実行してよい。アルゴリズムは、ユーザのデバイス上で動作するユーザインタフェースを介して制御される。
【００４２】
実施形態では、ユーザは選択的に１以上のゴール、設定、ルール、制約条件、限定条件、フィルタ等をシステムに入力してよい。これらは、どのオファー、報酬又はインセンティブをユーザに提示するかを判定する際に適用されてよい。例えばユーザは、自身にとって優先的なゴールは旅行（場合によっては、特定の目的地への旅行）であることを示す。この例では、提示される報酬、オファー又はインセンティブは、優先的なゴールにしたがって整列され、旅行というゴールに至る蓋然性を最大化する報酬、オファー又はインセンティブ（例えば、目的地へのチケットのために換金される十分なポイントを獲得すること、目的地におけるホテルのクーポン券を取得すること等）が最大化される。
【００４３】
この検索が実行されると、売主システムはまた、任意の他の特別なオファーが利用可能か否かについて第三者設備に問い合わせる。オファーは、売主の識別子、見込み客の識別子、購入が意図されている商品若しくは役務の種類若しくはカテゴリ、選択されたカード若しくはアカウント等に基づく。一実施形態では、ユーザは全地球測位センサ（ＧＰＳ）を備えるモバイルデバイスを保持してよいし、そうでなければユーザは追跡又は識別可能であってよい。本実施形態においてユーザは、店舗に入るとき、アプリケーションを起動すること等で、携帯電話の番号又は他の識別子により識別される。ユーザは、第三者設備から、特定の店舗において当該ユーザがオファー、報酬又は他の特典を受ける資格を有する旨のリマインダを受信する。
【００４４】
このオファー又は他の報酬は、ユーザ又は店舗側での任意の他の動作の必要なく、別途表示されてよい。ユーザがオンラインの場合、ユーザが売主に識別情報を提供するときに類似の通知がなされてもよい。クッキー又はオンラインの売主に利用可能な他の方法によってユーザが識別されるときに、類似の通知がなされてよい。次いで情報及び報酬の検索が実行され、１以上のカードがユーザに選択又は提示可能である。カード又はアカウントの比較が実行され、１以上の基準を用いて、「最善の」カード又はアカウントがユーザに選択され提示される。基準パラメータ又は選択パラメータは、最大ポイント、最大マイル（航空券の購入でなくても利用可能）、最大キャッシュバック、購入価格の最大割引、最長保証期間、ユーザによって選択及び格納済みの利用可能オファー、間もなく失効するオファー等を含んでよい。
【００４５】
一実施形態では、ユーザは購入アイテムを提示し、ユーザ自身のクレジットカード、デビットカード、又は、ユーザに利用可能な他のアカウントを用いて、所望の購入のための決済を行う。売主システムは次いで、最善のカード又はアカウントについて検索を実行し、その後クレジットカードネットワーク又はカードを発行する金融機関へ、購入に関する情報を送信する。本実施形態において売主システムは、第三者システムへ連絡して、最善の決済方法について検索を実行してよい。他の実施形態において売主システムは、ユーザ用に報酬データベースを有してよく、第三者設備へ直接連絡すること無く検索を実行可能であってよい。売主システム及びデータベースが頻繁に（例えば毎日）更新されて、様々な報酬、ポイント、警告、及び最新状態を維持するために必要な他の情報を追跡すれば、本システムは当然に一層正確である。可能であれば、ユーザのオファーシステムは、ユーザによって選択及び格納済みの任意の利用可能なオファー（例えばユーザが既に忘れてしまったオファー）、間もなく失効するオファー等について検索されてよい。
【００４６】
検索プロセスが完了すると、システムは、購入用に提示されたカードは好適なものであると判定して、取引を進めてよい。他の実施形態においてシステムは、カードＡが決済用に仮に提示されたとしても、上述の任意の理由から、異なるカードＤの方が良いと判定してよい。次いでユーザは店員に対してカードＤを提示すること、又は、オンラインでカードＤについての情報を入力することで取引を進めること、すなわち取引を認証することを求められてよい。あるいは、取引は単に、システムがカードを選択した後すぐに、ユーザ側での更なる動作を必要とせずに自動的に進んでもよい。
【００４７】
コンピュータ又はモバイルデバイスを通して情報を入力することや、販売時点（ＰＯＳ）端末を通してクレジットカードをスワイプすること以外にも、購入用の決済を行う方法が多く存在する。ユーザは、ＥＭＶチップを有するカードを提示してよい。このチップは、カードリーダを通してスワイプされる必要はないが、読み取りのためにＰＯＳ端末に近接させる必要だけがある。ユーザはまた、ＲＦＩＤフォブ又は近距離無線通信（ＮＦＣ）デバイス（例えば、売主の適切なリーダと交信する、ユーザのスマートフォン、ウェアラブルコンピューティングデバイス等）を用いて決済を行ってよい。ユーザのスマートフォンは、MasterCard（登録商標）のPayPass（登録商標）、Visa（登録商標）のpayWave（登録商標）、Apple Pay（登録商標）等を備えてよいし、ＮＦＣデバイスとして用いられ、適切なリーダを用いて売主に支払いを行ってよい。ユーザのモバイルデバイス用に、Google（登録商標）Wallet（登録商標）等のアプリケーションを用いて、セキュアなＳＩＭカードで他の非接触決済を行ってよい。矛盾しない適切なシステムが他にも多く存在する。
【００４８】
開示されるように、本開示を用いる方法は多く存在する。少しのいくつかの方法が、本開示を実行する方法のフローチャートで図示される。図８のフローチャート（８０）で図示されるように、方法を開始する１つの手段は、商品又は役務の価格についての要求を少なくとも１台のコンピュータで受信すること（８１）である。当該要求に応答して、システムは商品又は役務について少なくとも１台のコンピュータで検索を実行し（８２）、当該商品又は役務の価格を検出し、当該検索の結果を格納する（８３）。次いでシステムは、少なくとも１台のコンピュータを用いて、当該商品又は役務を購入することに対する報酬、オファー又は他のインセンティブを検索する（８４）。当該報酬は、当該商品又は役務の少なくとも１つの売主及び金融サービス機関（例えばクレジットカード会社又はデビットカード会社）を介して提供される。次いで検索結果がユーザに提示される（８５）。本願の図面及び特許請求の範囲において「ユーザ」とは商品又は役務を購入することを意図する者であってよいことを理解されたい。しかし実施形態では、ユーザが物理的な店舗におり店員が当該ユーザを支援するとき、検索結果は（例えば、店舗のＰＯＳ端末上で）当該店員に提示されてよい。これにより店員は、どのカード又はアカウントを使用すべきかの決定においてユーザを支援することができる。次いで店員は当該結果をユーザに伝達してよいし、当該結果を表示するＰＯＳ又は他のスクリーンをユーザに視認させてよい。
【００４９】
他の実施形態では、図９のフローチャート（９０）で図示されるように、方法を開始する１つの手段は、商品又は役務の価格についての要求を少なくとも１台のコンピュータで受信すること（９１）である。当該要求に応答して、システムは商品又は役務について少なくとも１台のコンピュータで検索を実行し（９２）、当該商品又は役務の価格を検出し、当該検索の結果を格納する（９３）。次いでシステムは、少なくとも１台のコンピュータで、当該商品又は役務を購入することに対する報酬、オファー又は他のインセンティブを検索する（９４）。当該報酬は、当該商品又は役務の少なくとも１つの売主及び金融機関（例えばクレジットカード会社又はデビットカード会社）を介して提供される。次いで検索結果がユーザに提示される（９５）。
【００５０】
更に、他の実施形態又は実施例を図１０に示す。本実施形態では、図１０のフローチャート（１０００）で図示されるように、方法を開始する１つの手段は、商品又は役務の価格についての要求を少なくとも１台のコンピュータで受信すること（１００１）である。当該要求に応答して、システムは商品又は役務について少なくとも１台のコンピュータで検索を実行し（１００２）、当該商品又は役務の価格を検出し、当該検索の結果を格納する（１００３）。次いでシステムは、少なくとも１台のコンピュータを用いて、当該商品又は役務を購入することに対する報酬、オファー又は他のインセンティブを検索する（１００４）。当該報酬は、当該商品又は役務の売主及びクレジットカード会社の少なくとも１つを介して提供される。次いで検索結果がユーザに提示される（１００５）。
【００５１】
実施形態において、ユーザがオンライン購入のために決済ページで購入フローを進めるとき、ユーザがブラウザのプラグインをインストールすると、本開示の方法のようにこの取引における最善のカードを使用するよう促される。ユーザが小売店に保存済みのカード又はユーザが入力したカードに基づいてオンライン店舗が統合を行う場合、Javascript又はＡＰＩによるインテグレーションは、取引で使用すべき最善の代替カードを提案可能である。
【００５２】
実施形態では、ユーザが店舗内購入を進めるとき、又はＰＯＳ、Card Swipe、Payment Gateway、又はAuthorization channelに基づいてユーザがカードをスワイプするとき、ユーザは、例えば決済端末上で、又はモバイル通知経由により、代替カードを使用するように通知を受ける。ユーザが店舗内モバイル決済アプリケーションを使用して購入のため決済を行うと、ユーザは、例えば決済アプリケーション内のモバイルＡＰＩインテグレーションを介して、又は、認証発呼中のモバイル通知を経由するなどして、代替カードを使用するよう通知を受けてよい。
【００５３】
実施形態では、本開示の様々なプロセス、方法、購入フロー及びステップが速やかに及び演算的に生じる。例えば、図８乃至図１０に記載されるプロセスフローは、秒単位（例えば１秒、２秒、５５秒等）、ミリ秒単位（例えば２００ミリ秒、１００ミリ秒等）で、マイクロ秒単位（例えば９００マイクロ秒、７５０マイクロ秒等）で、実質的に同時等で、生じる。実際上、プロセス、方法、購入フロー又はステップは、当該プロセス、方法、購入フロー及びステップを実行する計算アーキテクチャによって可能となる速度と同程度に速やかな速度で生じる。プロセス、方法、購入フロー及びステップが生じる速度は、プロセス、方法、購入フロー及びステップ自体の使用、成功、実行可能性に影響する。本開示のプロセス、方法、購入フロー又はステップが取引進行中にシームレスに且つ速やかに実行可能であるなら、例えばユーザは販売時点でそれらを使用してよい。実際上、本開示のプロセス、方法、購入フロー又はステップは、リアルタイムの報酬、オファー又はインセンティブの提示、及び、報酬、オファー又はインセンティブの処理を可能にするための、技術分野における改善策である。当該改善策は、ゴール、設定、ルール、制約条件、限定条件又はフィルタの適用の有無は問わず、取引を実行する金融手段をユーザが選択することを支援する。
【００５４】
実施形態では、本開示のプロセス、方法、購入フロー及びステップは分散ネットワークアーキテクチャ上で実行される。例えばプロセスの一部は、ＰＯＳコンピュータで生じてよく、ここでユーザはプロセス、方法、購入フロー又はステップを開始し、１以上の設定、制約条件、フィルタ等を任意に選択することができる。次いでプロセス、方法、購入フロー又はステップはリモートコンピュータ上での実行を続けてよい。当該リモートコンピュータは依然他のリモートコンピュータ又はデータベースにアクセスし、金融機関データ、オファー、報酬、アカウントステータス等を収集してよい。
【００５５】
本願で開示される方法及びシステムは、コンピュータソフトウェア、プログラムコード及び／又はプロセッサ上の命令を実行する装置で部分的に又は全体的に実装されてよい。プロセッサは、サーバ、クラウドサーバ、クライアント、ネットワークインフラ、モバイルコンピューティングプラットフォーム、静的コンピューティングプラットフォーム、又は他のコンピュータティングプラットフォームの一部であってよい。プロセッサは、プログラム命令、コード、バイナリ命令等を実行可能なコンピューティング装置又は処理装置の任意の種類でよい。プロセッサは、信号プロセッサ、デジタルプロセッサ、組込みプロセッサ、マイクロプロセッサ又は任意の変形例であるかそれらの１つを含む。任意の変形は例えば、コプロセッサ（数値演算コプロセッサ、図形コプロセッサ、通信コプロセッサ等）及びその類似物である。類似物は、格納されたプログラムコード又はプログラム命令の実行を直接又は間接的に容易にする。また、プロセッサは複数のプログラム、スレッド及びコードの実行を可能にしてよい。スレッドは同時に実行され、プロセッサの性能を向上し、アプリケーションの同時動作を容易にする。実装目的で、本願で開示される方法、プログラムコード、プログラム命令等は、１以上のスレッドで実行されてよい。スレッドは、関連付けられて割り当てられた優先度を有する他のスレッドを生成してよい。プロセッサは、優先度に基づいて、又はプログラムコードで提供される命令に基づいた任意の他の順番で、それらのスレッドを実行してよい。プロセッサは、本願又は他の出願で開示される方法、コード、命令及びプログラムを格納する非一時的メモリを有してよい。プロセッサは、本願又は他の出願で開示される方法、コード及び命令を格納する記憶媒体に、インタフェースを介してアクセスしてよい。プロセッサに関連付けられた記憶媒体は、方法、プログラム、コード、プログラム命令又は他の種類の命令を格納する。当該他の種類の命令はコンピューティング又は処理デバイスによって実行可能である。記憶媒体は１以上のＣＤ−ＲＯＭ、ＤＶＤ、非一時的メモリ、ハードディスク、フラッシュドライブ、ＲＡＭ、ＲＯＭ、キャッシュ等を含んでよいが、これらに限られない。
【００５６】
プロセッサは、マルチプロセッサの処理速度及び性能を向上する１以上のコアを含んでよい。実施形態においてプロセッサは、デュアルコアプロセッサ、クワッドコアプロセッサ、他のチップレベルのマルチプロセッサ、及び２以上の独立したコア等（ダイと称される）であってよい。
【００５７】
本願で開示される方法及びシステムは、サーバ、クラウドサーバ、クライアント、ファイアウォール、ゲートウェイ、ハブ、ルータ又は他のコンピュータ及び／又はネットワーキングハードウェア上で、コンピュータソフトウェアを実行するマシンによって、部分的に又は全体的に実装されてよい。ソフトウェアプログラムは、ファイルサーバ、プリントサーバ、ドメインサーバ、インターネットサーバ、イントラネットサーバ及び他の変形例（セカンダリサーバ、ホストサーバ、分散サーバ等）を含むサーバと関連付けられてよい。サーバは、メモリ、プロセッサ、コンピュータ可読媒体、記憶媒体、ポート（物理又は仮想）、通信装置、及びインタフェースの１以上を有してよい。当該インタフェースは、他のサーバ、クライアント、装置及びデバイスへ、有線又は無線の媒体等を介してアクセス可能である。本願又は他の出願で開示される方法、プログラム又はコードがサーバによって実行されてよい。追加的に、本願で開示される方法を実行するのに必要な他のデバイスが、サーバと関連付けられる構造の一部として考慮されてよい。
【００５８】
サーバは、他のデバイスへインタフェースを提供してよい。当該インタフェースは、クライアント、他のサーバ、プリンタ、データベースサーバ、プリントサーバ、ファイルサーバ、通信サーバ、分散サーバ等を含むが、これらに限られない。追加的に、このような結合及び／又は接続が、ネットワークにわたってプログラムの遠隔操作を容易にする。これらのデバイスのいくつか又は全てのネットワーキングにより、本開示の範囲を逸脱することなく、１以上の位置でのプログラム又は方法の並行処理が容易である。追加的に、インタフェースを介してサーバに接続される任意の装置は、方法、プログラム、コード及び／又は命令を格納可能な少なくとも１つの記憶媒体を含んでよい。中央リポジトリが、異なるデバイス上で実行されるプログラム命令を提供してよい。本実施形態において、リモートリポジトリはプログラムコード、命令及びプログラムのための記憶媒体として動作してよい。
【００５９】
ソフトウェアプログラムは、ファイルクライアント、プリントクライアント、ドメインクライアント、インターネットクライアント、イントラネットクライアント及び他の変形例（セカンダリクライアント、ホストクライアント、分散クライアント等）を含むクライアントと関連付けられてよい。クライアントは、メモリ、プロセッサ、コンピュータ可読媒体、記憶媒体、ポート（物理又は仮想）、通信デバイス、及びインタフェースの１以上を有してよい。当該インタフェースは、他のクライアント、サーバ、装置及びデバイスへ、有線又は無線の媒体等を介してアクセス可能である。本願又は他の出願で開示される方法、プログラム又はコードがクライアントによって実行されてよい。追加的に、本願で開示される方法を実行するのに必要な他のデバイスが、クライアントと関連付けられる構造の一部として考慮されてよい。
【００６０】
クライアントは、他のデバイスへインタフェースを提供してよい。当該インタフェースは、サーバ、他のクライアント、プリンタ、データベースサーバ、プリントサーバ、ファイルサーバ、通信サーバ、分散サーバ等を含むが、これらに限られない。追加的に、このような結合及び／又は接続が、ネットワークにわたってプログラムの遠隔操作を容易にする。これらのデバイスのいくつか又は全てのネットワーキングにより、本開示の範囲を逸脱することなく、１以上の位置でのプログラム又は方法の並行処理が容易である。追加的に、インタフェースを介してクライアントに接続される任意の装置は、方法、プログラム、アプリケーション、コード及び／又は命令を格納可能な少なくとも１つの記憶媒体を含んでよい。中央リポジトリが、異なるデバイス上で実行されるプログラム命令を提供してよい。本実施形態において、リモートリポジトリはプログラムコード、命令及びプログラムのための記憶媒体として動作してよい。
【００６１】
本願で開示される方法及びシステムは、ネットワークインフラにわたって部分的に又は全体的に実装されてよい。ネットワークインフラは、コンピュータデバイス、サーバ、ルータ、ハブ、ファイアウォール、クライアント、パーソナルコンピュータ、通信デバイス、ルーティングデバイス、並びに他の能動及び受動デバイス、当業者に既知のモジュール及び／又はコンポーネント等の要素を含んでよい。ネットワークインフラに関連付けられるコンピューティングデバイス及び／又は非コンピューティングデバイスは、他のコンポーネントとは別に、フラッシュメモリ、バッファ、スタック、ＲＡＭ、ＲＯＭ等の記憶媒体を含んでよい。本願又は他の出願で開示されるプロセス、方法、プログラムコード及び命令は、１以上のネットワークインフラ要素によって実行されてよい。
【００６２】
本願又は他の出願で開示される方法、プログラムコード及び命令は、複数のセルを有するセルラネットワーク上で実装されてよい。セルラネットワークは、周波数分割多元接続（ＦＤＭＡ）ネットワーク又は符号分割多元接続（ＣＤＭＡ）ネットワークのいずれかであってよい。セルラネットワークは、モバイルデバイス、セルサイト、基地局、中継器、アンテナ、タワー等を含んでよい。セルネットワークは、ＧＳＭ、ＧＰＲＳ、３Ｇ、ＥＶＤＯ、メッシュ又は他のネットワークタイプであってよい。
【００６３】
本願又は他の出願で開示される方法、プログラムコード及び命令は、モバイルデバイス上で又はモバイルデバイスを通して実装されてよい。モバイルデバイスは、ナビゲーションデバイス、携帯電話、モバイルフォン、モバイル個人情報端末、ラップトップ、パームトップ、ネットブック、ポケットベル、電子書籍リーダ、音楽プレイヤ等を含んでよい。これらのデバイスは、他のコンポーネントとは別に、フラッシュメモリ、バッファ、ＲＡＭ、ＲＯＭ、１以上のコンピューティングデバイス等の記憶媒体を含んでよい。モバイルデバイスに関連付けられるコンピューティング装置は、格納されるプログラムコード、方法及び命令を実行可能であってよい。代替的に、モバイルバイスは、他のデバイスと協働して命令を実行するように構成されてよい。モバイルデバイスは、サーバとインタフェースで接続されてプログラムコードを実行するように構成される基地局と通信してよい。複数のモバイルデバイスは、ピアツーピアネットワーク、メッシュネットワーク又は他の通信ネットワーク上で互いに通信してよい。プログラムコードは、サーバと関連付けられる記憶媒体上に格納されてよく、また、当該サーバ内に実装されるコンピューティングデバイスによって実行されてよい。基地局は、コンピューティングデバイス及び記録媒体を含んでよい。記憶デバイスは、基地局と関連付けられるコンピューティングデバイスによって実行されるプログラムコード及び命令を格納してよい。
【００６４】
コンピュータソフトウェア、プログラムコード、及び／又は命令は、装置可読媒体上で格納及び／又はアクセスされてよい。当該媒体は、所定の時間にわたってコンピューティングに用いられるデジタルデータを保持するコンピュータコンポーネント、デバイス及び記録媒体を有してよい。当該媒体は、ランダムアクセスメモリ（ＲＡＭ）として知られる半導体記憶装置、より持久的な記憶のために典型的に用いられる大容量記憶装置（光ディスク、テープ、ドラム、カード及び他の種類等）を含んでよい。当該媒体は、プロセッサレジスタ、キャッシュメモリ、揮発メモリ、不揮発メモリを含んでよい。当該媒体は、ＣＤやＤＶＤ等の光記憶媒体を含んでよい。当該媒体は、フラッシュメモリ（例えばＵＳＢスティック又はキー）、フロッピーディスク、磁気テープ、紙テープ、穿孔カード、スタンドアロンＲＡＭディスク、Ｚｉｐドライブ、取外し可能な大容量記憶装置、オフライン等の、取外し可能な記憶媒体を含んでよい。当該媒体は、動的メモリ、静的メモリ、読み書き可能記憶装置、可変（mutable）記憶装置、読み取り専用、ランダムアクセス、シーケンシャルアクセス、アドレス指定可能、ファイル指定可能、内容指定可能、ネットワーク接続記憶装置、記憶エリアネットワーク、バーコード、磁気インク等を含んでよい。
【００６５】
本願で開示される方法及びシステムは、物理的及び／又は無形のアイテムを一の状態から他の状態へ変形させることができる。本願で開示される方法及びシステムはまた、物理的及び／又は無形のアイテムを示すデータを一の状態から他の状態へ（例えば利用データを正規化された利用データセットへ）変形させることができる。
【００６６】
本願で開示され図示される要素は、図面におけるフローチャート図及びブロック図を含み、要素間の論理的境界を示唆するものである。しかし、ソフトウェア又はハードウェアの開発実務によれば、図示される要素及び機能は、コンピュータ実行可能な記憶媒体により装置上で実装されてよい。当該記憶媒体は、一体的なソフトウェア構造として、スタンドアロンのソフトウェアモジュールとして、又は外部のルーティンとコードとサービス等とこれらの任意の組合せとを利用するモジュールとして、格納されるプログラム命令を実行可能なプロセッサを有する。これら全ての実装は、本開示の範囲内である。そのような装置の例は、個人情報端末、ラップトップ、パーソナルコンピュータ、モバイルフォン、他の携帯用コンピューティングデバイス、医療機器、有線又は無線の通信デバイス、変換器、チップ、計算機、衛星、タブレットＰＣ、タブレットコンピュータ、パッドコンピュータ、電子書籍、ガジェット、電子デバイス、人工知能を有するデバイス、コンピューティングデバイス、ネットワーク機器、サーバ、ルータ等を含んでよいが、これらに限られない。更に、フローチャート図及びブロック図で図示される、要素又は他の任意の論理コンポーネントは、プログラム命令を実行可能な装置上で実装される。したがって、前記の図示及び記載は、開示されるシステムの機能的な側面を示す。しかし、それらの機能的な側面を実装するソフトウェアの特定の構成がそれらの記載から推認されることは、明示される場合又は文脈から明らかな場合を除き、あってはならない。同様に、上記で認識され記載される複数のステップは可変であること、及び、ステップの順番は本願で開示される技術の特定の応用技術に適用可能であることを理解されたい。そのような全ての変形例及び修正例は、本開示の範囲内である。したがって、複数のステップの順番についての図示及び／又は記載が、それらのステップの実行のための特定の順番を要求するものであると理解することは、特定の用途で要求される場合、明示される場合、又は文脈から明らかな場合を除き、あってはならない。
【００６７】
上記の方法及び／又はプロセス、並びにそのステップは、ハードウェア、ソフトウェア、又は特定の用途に適したハードウェアとソフトウェアとの任意の組合せにより実現されてよい。ハードウェアは、汎用の及び／又は専用のコンピューティングデバイス、特定目的のコンピューティングデバイス、特定目的のコンピューティングデバイスの特定の側面又はコンポーネント、を含んでよい。プロセスは、内部及び／又は外部メモリを有する、１以上のマイクロプロセッサ、マイクロコントローラ、埋め込みマイクロコントローラ、プログラム可能なデジタル信号プロセッサ、又は他のプログラム可能なデバイスにおいて実装される。プロセスは、更に又は代わりに、特定用途向け集積回路、プログラム可能ゲートアレイ、プログラム可能アレイロジック、任意の他のデバイス、又は電気信号を処理するように構成されたデバイスの組合せで実装されてよい。更に、１以上のプロセスは、装置可読媒体上で実行可能なコンピュータ実行可能コードとして実装されてよいことを理解されたい。
【００６８】
コンピュータ実行可能なコードは、Ｃ言語等の構造化プログラミング言語、Ｃ＋＋言語等のオブジェクト指向のプログラミング言語、他の任意のハイレベル又はローレベルプログラミング言語（アセンブリ言語、ハードウェア記述言語、データベースプログラミング言語及び技術を含む）を用いて生成されてよい。当該言語は、上記のデバイスの１つで動作するように、格納、コンパイル又は解釈されてよい。プロセッサとプロセッサアーキテクチャとの異種の組合せ、異なるハードウェア又はソフトウェアと、プログラム命令を実行可能な任意の他の装置との組合せについても同様である。
【００６９】
したがって、一態様では、上記の方法及びその組合せがコンピュータ実行可能なコードで実装されてよい。当該コードは、１台以上のコンピューティングデバイスで実行されるとステップを実行する。他の態様では、方法は、ステップを実行するシステムで実装されてよく、多くの方法で複数の装置に分散されてよい。又は、機能の全ては、専用のスタンドアロンの装置、又は他のハードウェアに統合されてよい。他の態様では、上記のプロセスに関連付けられたステップを実行する手段は、上記の任意のハードウェア及び／又はソフトウェアを含んでよい。そのような全ての置き換え及び組合せは、本開示の範囲内である。
【００７０】
本開示は、詳細に図示及び開示される好適な実施形態に関して開示されるが、当業者にとってその複数の修正例又は改善例は自明である。したがって、本開示の要旨及び範囲は、上記の例に限定されず、法が許容する最大限の意味で理解されたい。
【００７１】
本開示で参照される全ての文献は、参照によってここに取り込まれる。
【図１】
2018511101.tif 000003
【図２】
2018511101.tif 000004
【図３】
2018511101.tif 000005
【図４】
2018511101.tif 000006
【図５】
2018511101.tif 000007
【図６】
2018511101.tif 000008
【図７】
2018511101.tif 000009
【図８】
2018511101.tif 000010
【図９】
2018511101.tif 000011
【図１０】
2018511101.tif 000012
【国際調査報告】
2018511101.tif 000013
2018511101.tif 000014